(57)【要約】      （修正有）【課題】コンデンサを効率良く冷却することが可能となる送風装置および掃除機を提供する。【解決手段】上下方向に延びる中心軸Ｃ周りに回転するインペラ３と、前記インペラよりも上下方向一方側に配置され、前記インペラを回転させるモータ５と、前記モータを収容するモータハウジング４と、前記インペラと前記モータハウジングとを収容して前記モータハウジングとの間に第１流路ＦＷ１を構成するファンケーシング２と、前記インペラよりも上下方向一方側に配置される基板７と、を備え、前記ファンケーシングの上下方向の一方側端部および他方側端部は、それぞれ第１開口部２２および第２開口部２１１を備え、前記第１開口部と前記第２開口部とは、前記第１流路を介して連通し、前記基板には、コンデンサ８が配置され、平面視で、前記コンデンサの少なくとも一部は、前記第１流路と重なる送風装置１とする。【選択図】図３
2018123738.tif 000002
【特許請求の範囲】
【請求項１】
上下方向に延びる中心軸周りに回転するインペラと、
前記インペラよりも上下方向一方側に配置され、前記インペラを回転させるモータと、
前記モータを収容するモータハウジングと、
前記インペラと前記モータハウジングとを収容して前記モータハウジングとの間に第１流路を構成するファンケーシングと、
前記インペラよりも上下方向一方側に配置される基板と、
を備え、
前記ファンケーシングの上下方向の一方側端部および他方側端部は、それぞれ第１開口部および第２開口部を備え、
前記第１開口部と前記第２開口部とは、前記第１流路を介して連通し、
前記基板には、コンデンサが配置され、
平面視で、前記コンデンサの少なくとも一部は、前記第１流路と重なる、送風装置。
【請求項２】
前記第１流路は、
前記インペラの径方向外端部から上下方向且つ径方向外向きに延びる湾曲部と、
前記湾曲部と連通して上下方向に延びる延伸部と、を有する、請求項１に記載の送風装置。
【請求項３】
前記コンデンサは、前記基板の上下方向他方側の面に配置される、請求項１または請求項２に記載の送風装置。
【請求項４】
前記モータハウジングは、前記第１流路を構成し、上下方向に延びる筒部を備え、
平面視で、前記コンデンサの少なくとも一部は、前記筒部よりも径方向内側に配置される、請求項１から請求項３のいずれか１項に記載の送風装置。
【請求項５】
前記モータハウジングは、前記第１流路を構成し、上下方向に延びる筒部を備え、
平面視で、前記コンデンサの径方向外端の径方向位置は、前記筒部の径方向外面の径方向位置と一致する、請求項１から請求項４のいずれか１項に記載の送風装置。
【請求項６】
前記モータハウジングの外面には、周方向に複数の静翼が配置される、請求項１から請求項５のいずれか１項に記載の送風装置。
【請求項７】
前記コンデンサの少なくとも一部は、前記静翼と上下方向に対向する、請求項６に記載の送風装置。
【請求項８】
前記モータハウジングは、上下方向に凹むモータハウジング凹部を有し、
前記コンデンサの少なくとも一部は、前記モータハウジング凹部に収容される、請求項１から請求項７のいずれか１項に記載の送風装置。
【請求項９】
前記モータハウジングは、径方向に貫通し、前記第１流路に連通する流入口を有する、
請求項１から請求項８のいずれか１項に記載の送風装置。
【請求項１０】
前記基板の前記コンデンサが配置される面側において、前記コンデンサの近傍にＦＥＴ （電界効果トランジスタ）が配置される、請求項１から請求項９のいずれか１項に記載の送風装置。
【請求項１１】
請求項１から請求項１０のいずれか１項に記載の送風装置を有する、掃除機。
【発明の詳細な説明】
【技術分野】
【０００１】
本発明は、送風装置に関する。
【背景技術】
【０００２】
従来、モータには、コンデンサが備えられる。例えば、特許文献１には次のような回転電動機が開示される。この回転電動機は、上フレームおよび下フレームの内周に嵌合されたステータコアを備える。ステータコアのティースには、コイルが巻き回される。コイルの周方向の外周面と、上フレームの内周壁面との間には、リング状の空間が形成される。このリング状の空間に円弧上のコンデンサが配置される。
【先行技術文献】
【特許文献】
【０００３】
【特許文献１】特開２００４−２５４４４９号公報
【発明の概要】
【発明が解決しようとする課題】
【０００４】
ここで、上記特許文献１の回転電動機を仮に送風装置に利用する場合、回転電動機の回転するシャフトにインペラを固定する。しかしながら、コンデンサは、上フレームと下フレームから構成される内部空間に収容されており、インペラを回転駆動させても、インペラによって生じる気流はコンデンサに案内されることない。従って、コンデンサを効率良く冷却することは上記特許文献１ではなんら考慮されていない。
【０００５】
上記状況に鑑み、本発明は、コンデンサを効率良く冷却することが可能となる送風装置および掃除機を提供することを目的とする。
【課題を解決するための手段】
【０００６】
本発明の例示的な送風装置は、上下方向に延びる中心軸周りに回転するインペラと、前記インペラよりも上下方向一方側に配置され、前記インペラを回転させるモータと、前記モータを収容するモータハウジングと、前記インペラと前記モータハウジングとを収容して前記モータハウジングとの間に第１流路を構成するファンケーシングと、前記インペラよりも上下方向一方側に配置される基板と、を備え、前記ファンケーシングの上下方向の一方側端部および他方側端部は、それぞれ第１開口部および第２開口部を備え、前記第１開口部と前記第２開口部とは、前記第１流路を介して連通し、前記基板には、コンデンサが配置され、平面視で、前記コンデンサの少なくとも一部は、前記第１流路と重なる。
【発明の効果】
【０００７】
本発明の例示的な送風装置によれば、コンデンサを効率良く冷却することが可能となる。
【図面の簡単な説明】
【０００８】
【図１】図１は、本発明の一実施形態に係る掃除機の斜視図である。
【図２】図２は、本発明の一実施形態に係る送風装置の全体斜視図である。
【図３】図３は、本発明の一実施形態に係る送風装置の側面断面図である。
【図４】図４は、送風装置においてファンケーシングを取り外した状態を示す斜視図である。
【図５】図５は、図４の状態からさらにインペラ、および上側ハウジングを取り外した状態を示す斜視図である。
【図６】図６は、上側ハウジングを上方から視た斜視図である。
【図７】図７は、上側ハウジングを下方から視た斜視図である。
【図８】図８は、下側ハウジングを上方から視た斜視図である。
【図９】図９は、送風装置を上側ハウジングの上下方向途中位置で、上下方向に垂直な切断面で切断した状態で上方から視た平面視断面図である。
【図１０】図１０は、送風装置を下側ハウジングの下方の途中位置で、上下方向に垂直な切断面により切断した状態を上方から視た断面斜視図である。
【図１１】図１１は、変形例に係るコンデンサを有する送風装置の一部断面斜視図である。
【図１２】図１２は、別実施形態に係る送風装置の側面断面図である。
【発明を実施するための形態】
【０００９】
以下、本発明の例示的な実施形態について図面を参照しつつ説明する。なお、本明細書では、送風装置の中心軸が延びる方向を「上下方向」、送風装置の中心軸に直交する方向を「径方向」、送風装置の中心軸を中心とする円弧に沿う方向を「周方向」とそれぞれ称する。但し、上記の「上下方向」は、実際に機器に組み込まれる際の方向を限定しない。また、「上流」および「下流」は、インペラを回転させた際に吸気口から吸い込まれた空気の流通方向の上流および下流をそれぞれ示す。
【００１０】
また、本明細書では、掃除機において、床面に近づく方向を「下方」とするとともに、床面から離れる方向を「上方」として、各部の形状および位置関係を説明する。なお、これらの方向は、単に説明のために用いられる名称であって、実際の位置関係および方向を限定しない。また、「上流」および「下流」は、送風装置を駆動させた際に吸気口から吸い込まれた空気の流通方向の上流および下流をそれぞれ示す。
【００１１】
＜１．掃除機の全体構成＞
ここでは、本発明の例示的な実施形態の掃除機について説明する。図１は、本発明の一実施形態に係る掃除機の斜視図を示す。図１に示す掃除機１００は、所謂スティック型の電気掃除機であり、下面および上面にそれぞれ吸気口１０３および排気口１０４を開口する筐体１０２を備える。筐体１０２の背面からは電源コード（不図示）が導出される。電源コードは居室の側壁面に設けた電源コンセント（不図示）に接続され、掃除機１００に電力を供給する。なお、掃除機１００は所謂ロボット型、キャニスター型またはハンディ型の電気掃除機でもよい。
【００１２】
筐体１０２内には吸気口１０３と排気口１０４とを連結する空気通路（不図示）が形成される。空気通路内には上流側から下流側に向かって集塵部（不図示）、フィルタ（不図示）および送風装置１が順に配置される。送風装置１は、インペラ３を有する。空気通路内を流通する空気に含まれる塵埃等のゴミはフィルタにより遮蔽され、容器状に形成される集塵部内に集塵される。集塵部およびフィルタは、筐体１０２に対して着脱可能に構成される。
【００１３】
筐体１０２の上部には把持部１０５および操作部１０６が設けられる。使用者は把持部１０５を把持して掃除機１００を移動させることができる。操作部１０６は複数のボタン１０６ａを有し、ボタン１０６ａの操作によって掃除機１００の動作設定を行う。例えば、ボタン１０６ａの操作により、送風装置１の駆動開始、駆動停止、および回転数の変更等が指示される。吸気口１０３には棒状の吸引管１０７の下流端（図中、上端）が接続される。吸引管１０７の上流端には吸引ノズル１１０が吸引管１０７に対して着脱可能に取り付けられる。床面Ｆ上のゴミは、吸引ノズル１１０を通って吸引管１０７に吸い込まれる。
【００１４】
＜２．送風装置の全体構成＞
次に、送風装置１の全体構成について説明する。図２は、本発明の一実施形態に係る送風装置１の全体斜視図である。図３は、送風装置１の側面断面図である。図４は、送風装置１においてファンケーシング２を取り外した状態を示す斜視図である。図５は、図４の状態からさらにインペラ３、および上側ハウジング４１を取り外した状態を示す斜視図である。送風装置１の中心軸Ｃは上下方向に延び、図２における紙面上側を「上側」として位置関係等を説明する。
【００１５】
送風装置１は、大きく分けて、ファンケーシング２と、インペラ３と、モータハウジング４と、モータ５と、上側軸受部６と、下側軸受部（不図示）と、基板７と、コンデンサ８と、ＦＥＴ（電界効果トランジスタ））９と、を備える。モータ５によりインペラ３が中心軸Ｃ周りに回転方向Ｒに回転駆動されることにより、空気は上側よりファンケーシング２内部に吸い込まれ、ファンケーシング２より下側へ排気される。
【００１６】
＜２．１  ファンケーシングについて＞
送風装置１は、平面視の断面で円形である筒状のファンケーシング２を有する。ファンケーシング２は、インペラ３と、モータハウジング４を収容する。ファンケーシング２は、上部ケース部２Ａと、下部ケース部２Ｂを有する。上部ケース部２Ａと下部ケース部２Ｂは、同一部材として構成される。
【００１７】
上部ケース部２Ａの上端部には、上端から内側に屈曲して下方へ延びるベルマウス２１が設けられる。ベルマウス２１の上端には、上下方向に開口する吸気口２１１が設けられる。吸気口２１１は、インペラ３の上端よりも上側に位置する。また、下部ケース部２Ｂの下端には、上下方向に開口する排気口２２が設けられる。
【００１８】
＜２．２  インペラについて＞
インペラ３は、樹脂成型品により構成された所謂、斜流インペラである。インペラ３は、ベース部３１と、複数の羽根３２を有する。ベース部３１の直径は、下方に向かうにつれ大きくなる。
【００１９】
ベース部３１は、下方に突出するボス部３１１を有する。ボス部３１１は、下端から上方に延びる孔部（不図示）を有する。上記孔部は後述するシャフト５３と連結され、インペラ３は、中心軸Ｃを中心として回転方向Ｒに回転する。
【００２０】
複数の羽根３２は、ベース部３１の外周面に周方向に配列される。羽根３２は、ベース部３１と同一部材として構成される。羽根３２の上部は下部に対して回転方向Ｒ前方に配置される。羽根３２の付け根３２Ａに対して羽根３２の外端部３２Ｂは、回転方向Ｒ前方に配置される。
【００２１】
＜２．３  モータハウジングについて＞
モータハウジング４は、上側ハウジング４１と、下側ハウジング４２を有する。上側ハウジング４１は、下側ハウジング４２よりも上側に配置される。モータハウジング４は、モータ５を収容する。
【００２２】
図６は、上側ハウジング４１を上方から視た斜視図である。図７は、上側ハウジング４１を下方から視た斜視図である。上側ハウジング４１は、カップ状の基部４１１を有する。基部４１１の外周面は、上方に位置する湾曲面Ｓ１と、下方に位置する円柱面Ｓ２と、を有する。
【００２３】
基部４１１の上端部には、中央において上下方向に開口する孔部４１１Ａが設けられる。孔部４１１Ａの下方には、下側に突出して基部４１１の内部側に配置される軸受保持部４１１Ｂが設けられる。軸受保持部４１１Ｂは、内部に上側軸受部６（図５）を保持する。なお、上側軸受部６は、ボールベアリングにより構成されるが、スリーブ軸受などにより構成されてもよい。
【００２４】
基部４１１の内周面には、３つの柱状突出部４１１Ｃが設けられる。柱状突出部４１１Ｃは、基部４１１の内周面から径方向内側へ突出し、上下方向に柱状に延びる。柱状突出部４１１Ｃには、下端から上方に延びるネジ孔４１１１が設けられる。３つの柱状突出部４１１Ｃは、周方向に等間隔に配列される。
【００２５】
柱状突出部４１１Ｃの周方向両隣には、上方へ凹む凹部４１１Ｄが設けられる。
【００２６】
基部４１１の湾曲面Ｓ１には、周方向に複数の静翼４１２が配列される。静翼４１２は、板状に構成され、上方へ行くほどインペラ３の回転方向Ｒと反対方向へ向かって傾斜する。静翼４１２は、インペラ３側が凸に湾曲する。静翼４１２は、送風装置１の駆動の際に気流を下方へ案内する。
【００２７】
図８は、下側ハウジング４２を上方から視た斜視図である。下側ハウジング４２は、底部を有するカップ状の基部４２１を有する。基部４２１の底部には、中央において軸受保持部４２１Ａが設けられる。軸受保持部４２１Ａには、下側軸受部（不図示）が保持される。下側軸受部は、上側軸受部６と同様にボールベアリングで構成されるが、スリーブ軸受などにより構成してもよい。
【００２８】
基部４２１の底部において、軸受保持部４２１Ａの径方向外側には、周方向に複数の上下方向に開口する排気口４２１Ｄが配列される。排気口４２１Ｄは、後述するように、ステータ５２を冷却した空気を排気するための開口部である。
【００２９】
基部４２１の内周面には、径方向内側へ突出する３つの基台部４２１Ｂが設けられる。基台部４２１Ｂは、周方向に等間隔に配置される。基台部４２１Ｂには、上下方向に貫通するネジ孔４２１１が設けられる。
【００３０】
基部４２１において、各基台部４２１Ｂの下方には、上側へ凹むモータハウジング凹部４２１Ｃが設けられる。これにより、基部４２１の外周面は、円柱面の一部をなす３つの第１外周面Ｓ３と、周方向に隣り合う第１外周面Ｓ３とで挟まれてモータハウジング凹部４２１Ｃの上方に配置される第２外周面Ｓ４を有する。
【００３１】
第１外周面Ｓ３には、周方向に複数の第１静翼４２２Ｂが配列される。第１静翼４２２Ｂは、上下方向に延びて回転方向Ｒ側を凸として湾曲する。第２外周面Ｓ４には、第２静翼４２２Ａが設けられる。周方向に３つ配置される第２外周面Ｓ４には、第２静翼４２２Ａが１つ設けられる面と、２つ設けられる面がある。第２静翼４２２Ａは、第１静翼４２２Ｂの一部を構成する上部と同じ形状である。
【００３２】
第１静翼４２２Ｂ、および第２静翼４２２Ａは、送風装置１の駆動の際に気流を下方へ案内する。特に、第２静翼４２２Ａは、後述するように、コンデンサ８を効率良く冷却することに用いる。
【００３３】
＜２．４  モータについて＞
インペラ３の下方には、モータハウジング４に収容されたモータ５が配置される。モータ５は、ステータ５１と、ロータ５２と、シャフト５３と、を有する。図５に示すように、ステータ５１は、ステータコア５１１と、複数のコイル５１２と、インシュレータ５１３と、を有する。
【００３４】
ステータコア５１１は、電磁鋼板を上下方向に積層して構成される。ステータコア５１１は、環状のコアバック５１１１と、複数のティース（不図示）を有する。複数のティースは、コアバック５１１１の内周面から径方向内側へ向かって延びて放射状に形成される。ティースは、平面視で略Ｔ字形状である。コイル５１２は、絶縁性を有するインシュレータ５１３を介して各ティースの周囲にそれぞれ巻き回されて構成される。
【００３５】
ティースの根元近傍で、コアバック５１１１の内周面および第３外周面Ｓ５は、平面で構成される。これにより、コイルの巻き崩れを抑制できる。また、ティースの根元近傍以外のコアバック５１１１の内周面および第４外周面Ｓ６は、曲面である。下側ハウジング４２の基台部４２１Ｂの内側面は平面で構成されるので、当該内側面にコアバック５１１１の第３外周面Ｓ５が接触されて、ステータコア５１１１は下側ハウジング４２に保持される。
【００３６】
また、上側ハウジング４１の柱状突出部４１１Ｃが第３外周面Ｓ５に接触されて、上側ハウジング４１が下側ハウジング４２上に載置される。上側ハウジング４１の柱状突出部４１１Ｃは、下側ハウジング４２の基台部４２１Ｂ上に載置される。柱状突出部４１１Ｃのネジ孔４１１１と、基台部４２１Ｂのネジ孔４２１１は、上下に連なって位置し、下方からネジ孔４２１１およびネジ孔４１１１にボルトＢＴ（図５）がねじ止めされる。これにより、上側ハウジング４１は、下側ハウジング４２にボルトＢＴにより固定される。
【００３７】
上側ハウジング４１を下側ハウジング４２に固定した状態で、柱状突出部４１１Ｃの周方向両隣において、凹部４１１Ｄと基台部４２１Ｂとから、径方向に貫通する流入口Ｗが構成される（図４）。流入口Ｗの作用については、後述する。
【００３８】
ロータ５２は、ステータ５１の径方向内側に配置される。すなわち、モータ５は、所謂、インナーロータ型である。ロータ５２は、円筒状のロータハウジングと複数のマグネットを有する。複数のマグネットは、ロータハウジングの外周面に配置される。
【００３９】
ロータ５２のロータハウジングには、上下方向に延びるシャフト５３が固定される。シャフト５３は、上側軸受部６と下側軸受部（不図示）によって回転可能に保持される。シャフト５３の上端部は、インペラ３のボス部３１１の孔部に通されて、ボス部３１１に固定される。
【００４０】
＜２．５  基板およびコンデンサについて＞
円板状の基板７は、下側ハウジング４２よりも下側に配置される（図４）。基板７は、リジッド基板またはフレキシブル基板により構成される。基板７の上面には、３つのコンデンサ８が周方向に等間隔に配列されて実装される。基板７の上面において、各コンデンサ８の周方向両隣には、ＦＥＴ（電界効果トランジスタ）９が実装される。すなわち、ＦＥＴ９は、合計６つ設けられる。
【００４１】
コンデンサ８は、基板７側から、下側ハウジング４２のモータハウジング凹部４２１Ｃ内へ向かって上方へ延びる円柱状を有する。すなわち、モータハウジング４は、上下方向に凹むモータハウジング凹部４２１Ｃを有し、コンデンサ８の少なくとも一部は、モータハウジング凹部４２１Ｃに収容される。これにより、送風装置１の上下方向の長さを短くすることができる。
【００４２】
コイル５１２から引き出された引出線（不図示）は、基板７に形成された駆動回路（不図示）に電気的接続される。これにより、コイル５１２に電力を供給することができる。
【００４３】
＜２．６  流路の構成について＞
次に、送風装置１における気流の流通する流路に関する構成について特に図３を参照して説明する。
【００４４】
上側ハウジング４１が有する基部４１１の外周面のうち湾曲面Ｓ１（図６）は、インペラ３のベース部３１の径方向外端部３１Ａより下方の箇所から、下方且つ径方向外向きに湾曲して延びる。ファンケーシング２の上部ケース部２Ａの内周面には、下方且つ径方向外向きに湾曲して延びる湾曲面Ｓ１１が形成される。湾曲面Ｓ１１と湾曲面Ｓ１とで挟まれる空間として湾曲部Ｆ１が形成される。
【００４５】
上側ハウジング４１が有する基部４１１の外周面のうち円柱面Ｓ２は、湾曲面Ｓ１に連なって下方へ延びる。下側ハウジング４２が有する基部４２１の外周面は、円柱面Ｓ２の下方において、下方向へ延びる。なお、基部４２１の上記外周面は、図８に示すように、３つの第１外周面Ｓ３と３つの第２外周面Ｓ４から構成される。また、ファンケーシング２の下部ケース部２Ｂの内周面には、下方へ延びる円柱面Ｓ１２が形成される。円柱面Ｓ１２と、円柱面Ｓ２および基部４２１の外周面とで挟まれる空間として、湾曲部Ｆ１と連通して下方へ延びる延伸部Ｆ２が形成される。
【００４６】
上述した湾曲部Ｆ１と延伸部Ｆ２によって、第１流路ＦＷ１が形成される。なお、第１流路ＦＷ１は、湾曲部Ｆ１と延伸部Ｆ２を含めた上で、それ以外の空間部を有してもよい。
【００４７】
ここで、図９は、送風装置１を上側ハウジング４１の上下方向途中位置で、上下方向に垂直な切断面で切断した状態で上方から視た平面視断面図である。図９に示すように、平面視で、ファンケーシング２の内周面とモータハウジング４の外周面とで挟まれる位置に、コンデンサ８の一部が配置される。すなわち、平面視で、コンデンサ８の一部は、第１流路ＦＷ１と重なる。
【００４８】
モータ５のコイル５１２に通電が行われてロータ５２とシャフト５３が回転し、インペラ３が中心軸Ｃ周りに回転方向Ｒに回転駆動される。すると、空気がファンケーシング２の吸気口２１１から内部に吸い込まれ、回転するインペラ３によって径方向外側で下方に向かって加速される。加速された空気は、インペラ３よりも下方に吹出される。インペラ３よりも下方に吹出された空気（気流ＡＲ）は、湾曲部Ｆ１に流入する。湾曲部Ｆ１に流入した空気は、静翼４１２によって下方へ案内され、延伸部Ｆ２に流入する。延伸部Ｆ２に流入した空気は、第１静翼４２２Ｂおよび第２静翼４２２Ａによって下方へ案内され、ファンケーシング２の排気口２２を介して下方へ排出される。すなわち、インペラ３によって吸い込まれた空気は、第１流路ＦＷ１を通過して排気口２２から外部へ排気される。
【００４９】
このとき、上記のように平面視で、コンデンサ８の一部は第１流路ＦＷ１と重なるので、第１流路ＦＷを通過した空気は、コンデンサ８に案内される。これにより、インペラ３の回転駆動による送風動作のときに、コンデンサ８を効率良く冷却することが可能となる。
【００５０】
すなわち、本実施形態の送風装置１は、上下方向に延びる中心軸Ｃ周りに回転するインペラ３と、インペラ３よりも上下方向一方側に配置され、インペラ３を回転させるモータ５と、モータ５を収容するモータハウジング４と、インペラ３とモータハウジング４とを収容してモータハウジング４との間に第１流路ＦＷ１を構成するファンケーシング２と、インペラ３よりも上下方向一方側に配置される基板７と、を備える。そして、ファンケーシング２の上下方向の一方側端部および他方側端部は、それぞれ第１開口部（排気口２２）および第２開口部（吸気口２１１）を備え、第１開口部と第２開口部とは、第１流路ＦＷ１を介して連通し、基板７には、コンデンサ８が配置され、平面視で、コンデンサ８の少なくとも一部は、第１流路ＦＷ１と重なる。
【００５１】
また、第１流路ＦＷ１は、インペラ３の径方向外端部３１Ａから上下方向且つ径方向外向きに延びる湾曲部Ｆ１と、湾曲部Ｆ１と連通して上下方向に延びる延伸部Ｆ２と、を有する。これにより、空気は湾曲部Ｆ１を円滑に流通されるので、気流に乱流が生じて送風効率が低下することを抑制できる。
【００５２】
また、本実施形態では、コンデンサ８は、基板７の上面に配置される。すなわち、コンデンサ８は、基板７の上下方向他方側の面に配置される。これにより、空気をよりコンデンサ８に接触させることができ、コンデンサ８の冷却効率を向上できる。
【００５３】
ここで、図１０は、送風装置１を下側ハウジング４２の下方の途中位置で、上下方向に垂直な切断面により切断した状態を上方から視た断面斜視図である。図１０に示すように、下側ハウジング４２は、基部４２１の一部として、上下方向に延びる円筒部４２１２を有する。また、下側ハウジング４２の基部４２１の底部には、モータハウジング凹部４２１Ｃと連なって径方向内側へ凹んだ凹み部４２１Ｅが形成される。コンデンサ８の上端部は、モータハウジング凹部４２１Ｃに収容されるとともに、凹み部４２１Ｅ内に収容される。すなわち、平面視で、コンデンサ８の一部は、筒部４２１２よりも径方向内側に配置される。
【００５４】
このように、本実施形態では、モータハウジング４は、第１流路ＦＷを構成し、上下方向に延びる筒部４２１２を備え、平面視で、コンデンサ８の少なくとも一部は、筒部４２１２よりも径方向内側に配置される。これにより、送風装置１のサイズを径方向に大きくすることなく、コンデンサ８を大型化することが可能となる。
【００５５】
また、本実施形態では、下側ハウジング４２の基部４２１の外周面には、第１静翼４２２Ｂおよび第２静翼４２２Ａが周方向に配列される。すなわち、モータハウジング４の外面には、周方向に複数の静翼が配置される。これにより、第１流路ＦＷを介した送風の効率を向上させ、コンデンサ８を効率良く冷却することが可能となる。
【００５６】
また、３つのコンデンサ８のうち、図４で示すコンデンサ８Ａの上面の一部は、１つの第２静翼４２２Ａと上下方向に対向する。すなわち、コンデンサ８Ａの少なくとも一部は、静翼４２２Ａと上下方向に対向する。これにより、静翼４２２Ａによってコンデンサ８に効率良く空気を案内することができ、コンデンサ８の冷却効率を向上できる。
【００５７】
なお、コンデンサ８Ａ以外の２つのコンデンサ８については、一方のコンデンサ８の上面の一部は、１つの第２静翼４２２Ａと上下方向に対向する。また、他方のコンデンサ８の上方には２つの第２静翼４２２Ａが位置し、平面視で２つの第２静翼４２２Ａに挟まれた位置にコンデンサ８が配置される。すなわち、当該コンデンサ８の上面は、第２静翼４２２Ａと上下方向に対向はしない。なお、全てのコンデンサについて、静翼と対向する、または対向しないように構成してもよい。
【００５８】
また、本実施形態では、基板７の上面において、コンデンサ８の周方向両隣にＦＥＴ９が配置される。すなわち、基板７のコンデンサ８が配置される面側において、コンデンサ８の近傍にＦＥＴ９が配置される。これにより、コンデンサ８に案内された空気は、ＦＥＴ９にも供給されるので、ＦＥＴ９を効率良く冷却することが可能となる。特にコンデンサ８Ａの周方向両隣にはＦＥＴ９Ａ、９Ｂが配置され、上述したようにコンデンサ８Ａには静翼４２２Ａによって効率良く空気が案内されるので、ＦＥＴ９Ａ、９Ｂにも同様に効率良く空気が案内される。なお、ＦＥＴ９は、コンデンサ８の径方向両隣に配置してもよいし、その他のＦＥＴ９を冷却できる位置に配置してもよい。
【００５９】
＜２．７  コンデンサについての変形例＞
上記の通り、モータハウジング４は、第１流路ＦＷ１を構成し、上下方向に延びる筒部４２１２を備える。なお、上述した図１０においては、平面視で、コンデンサ８の一部を筒部４２１２よりも径方向内側に配置しつつ、コンデンサ８の一部は筒部４２１２よりも径方向外側に配置される。これに限らず、図１１に示すように、平面視で、コンデンサ８の一部を筒部４２１２よりも径方向内側に配置しつつ、コンデンサ８の径方向外端の径方向位置を、筒部４２１２の径方向外面の径方向位置と一致させてもよい。このような構成であれば、第１流路ＦＷ１を通過した気流は、コンデンサ８の外側面に沿って流れる。従って、コンデンサ８を効率良く冷却することができる。また、気流がコンデンサ８の上面に衝突することが抑制され、騒音が生じることを抑制できる。
【００６０】
なお、上記のような実施形態をとる場合に、コンデンサ８は基板７の下面に配置されたとしても、気流をコンデンサ８の外側面に沿って案内することは可能である。
【００６１】
＜２．８  ステータの冷却について＞
上述したように、モータハウジング４は、径方向に貫通する流入口Ｗを有する。流入口Ｗは、延伸部Ｆ２と連通する。すなわち、モータハウジング４は、径方向に貫通し、第１流路ＦＷ１に連通する流入口Ｗを有する。
【００６２】
第１流路ＦＷ１を流通する気流ＡＲの一部は、流入口Ｗを介して第２流路ＦＷ２に流入する（図３）。第２流路ＦＷ２は、上側ハウジング４１の内周面とステータ５１との間に形成される空間である。第２流路ＦＷ２に流入した気流ＡＲは、上方へ向かって流通し、ステータ５１よりも上方の空間ＪＫに流入する。空間ＪＫに流入した気流ＡＲは、隣り合うコイル５１２間の隙間等を下方へ向けて流通し、下側ハウジング４２の排気口４２１Ｄを介して外部へ排気される。これにより、モータハウジング４内にステータ５１による熱が溜まりにくくなり、ステータ５１の冷却効率を向上できる。
【００６３】
このとき、コンデンサ８の上方に基台部４２１Ｂが配置されるので、ステータ５１により熱せられた空気は基台部４２１Ｂによって遮蔽され、コンデンサ８に案内されることを抑制される。従って、コンデンサ８の冷却効率の低下を抑制できる。
【００６４】
＜３．送風装置の別実施形態＞
次に、別の実施形態に係る送風装置について説明する。図１２は、別実施形態に係る送風装置１０の側面断面図である。
【００６５】
図１２に示す送風装置１０は、ファンケーシング１１と、インペラ１２と、モータハウジング１３と、モータ１４と、上側軸受部１５Ａと、下側軸受部１５Ｂと、基板１６と、コンデンサ１７と、を備える。
【００６６】
ファンケーシング１１は、上側カバー部１１１と、ケーシング部１１２と、下側カバー部１１３と、を有する。上側カバー部１１１は、ドーム状の基部１１１１と、基部１１１１の周囲を囲む環状部１１１２と、を有する。基部１１１１と環状部１１１２との隙間として、吸気口１１１Ａが構成される。
【００６７】
ケーシング部１１２は、下方に底部を有する円筒形状であり、底部の中央には上下方向に開口する通気口部１１２Ａが設けられる。下側カバー部１１３は、円板状の基板部１１３１と、基板部１１３１の上面に周方向に複数配列された空気を径方向外側へ案内する湾曲した壁状のガイド部１１３２と、を有する。隣り合うガイド部１１３２の外端部により排気口１１３Ａが構成される。すなわち、排気口１１３Ａは、下側カバー部１１３の径方向外端部において周方向に複数配列される。
【００６８】
インペラ１２は、吸気口１２Ａを有する蓋部１２１と、蓋部１２１の下方に配置される円板部１２２と、蓋部１２１と円板部１２２との間において周方向に複数配列される羽根部１２３と、を有する。インペラ１２は、下側カバー部１１３の中央部に収容される。
【００６９】
インペラ１２の上方に位置するモータハウジング１３は、円筒状の上側ハウジング部１３１と、上側ハウジング部１３１の下方に連結されて上側ハウジング部１３１よりも断面直径の小さい円筒状の下側ハウジング部１３２と、を有する。上側ハウジング部１３１と下側ハウジング部１３２は、同一部材として構成される。上側ハウジング部１３１と下側ハウジング部１３２とが連結される境界には、上下方向に開口した通気口部１３Ａが設けられる。また、下側ハウジング部１３２の底部には、上下方向に開口した通気口部１３Ｂが設けられる。
【００７０】
モータハウジング１３は、ファンケーシング１１に収容される。モータハウジング１３は、モータ１４を収容する。モータ１４は、インペラ１２の上方に配置される。モータ１４は、所謂インナーロータ型であり、ステータ１４１と、ステータ１４１の径方向内側に配置されるロータ１４２と、ロータ１４２に固定されるシャフト１４３と、を有する。
【００７１】
上下方向に延びるシャフト１４３は、上側軸受部１５Ａと下側軸受部１５Ｂによって回転可能に保持される。シャフト１４３の下端部は、インペラ１２に固定される。インペラ１２は、モータ１４によって中心軸Ｃ周りに回転駆動される。なお、便宜上、図１２においては、シャフト１４３とインペラ１２との固定断面は省略されている。
【００７２】
円板状の基板１６は、上側カバー部１１１の基部１１１１の開口した下面に固定される。基板１６の下面には、周方向に３つのコンデンサ１７が配列される。
【００７３】
このような構成の送風装置１０の駆動時の動作について説明する。モータ１４によってインペラ１２が中心軸Ｃ周りに回転駆動されると、送風装置１０の上方から空気ＡＲが吸気口１１１Ａに吸い込まれる。吸い込まれた空気ＡＲは、基板１６の下方のステータ１４が設けられる空間内に送り込まれる。送り込まれた空気ＡＲの一部は、通気口部１３Ａを通って、ケーシング部１１２の内壁面と下側ハウジング部１３２の外壁面との間に構成される流路ＦＷ１１に送り込まれる。送り込まれた空気ＡＲは、流路ＦＷ１１を下方に流通し、ケーシング部１１２の底部上を通って、通気口部１１２Ａを下方へ向けて通る。さらに、空気ＡＲは、インペラ１２の吸気口１２Ａから下方へ吸い込まれ、羽根部１２３によって径方向外側へ案内され、下側カバー部１１３のガイド部１１３２によりさらに径方向外側へ案内され、排気口１１３Ａから外部へ排気される。
【００７４】
ここで、平面視で、コンデンサ１７の一部は、流路ＦＷ１１と重なる。これにより、流路ＦＷ１１へ流れ込む空気ＡＲはコンデンサ１７に接触するので、コンデンサ１７を効率良く冷却することが可能となる。
【００７５】
このように本実施形態に係る送風装置１０は、上下方向に延びる中心軸Ｃ周りに回転するインペラ１２と、前記インペラ１２よりも上下方向一方側に配置され、前記インペラ１２を回転させるモータ１４と、前記モータ１４を収容するモータハウジング１３と、前記インペラ１２と前記モータハウジング１３とを収容して前記モータハウジング１３との間に第１流路ＦＷ１１を構成するファンケーシング１１と、前記インペラ１２よりも上下方向一方側に配置される基板１６と、を備える。
【００７６】
そして、前記ファンケーシング１１の上下方向の一方側端部および他方側端部は、それぞれ第１開口部（１１１Ａ）および第２開口部（１１３Ａ）を備え、前記第１開口部と前記第２開口部とは、前記第１流路ＦＷ１１を介して連通し、前記基板１６には、コンデンサ１７が配置され、平面視で、前記コンデンサ１７の少なくとも一部は、前記第１流路ＦＷ１１と重なる。
【００７７】
＜４．その他＞
以上説明した通り、本実施形態に係る掃除機１００は、上述の送風装置を有する。これにより、送風装置におけるコンデンサを効率良く冷却することが可能となる掃除機を実現することができる。なお、送風装置は、掃除機に限らず、種々のＯＡ機器、医療機器、輸送機器、または掃除機以外の家庭用電気製品などに搭載されてもよい。
【００７８】
なお、本発明の趣旨の範囲内であれば、上述した実施形態は種々に変形することが可能である。
【産業上の利用可能性】
【００７９】
本発明は、例えば、掃除機用の送風装置に利用することができる。
【符号の説明】
【００８０】
１００・・・掃除機、１・・・送風装置、２・・・ファンケーシング、３・・・インペラ、４・・・モータハウジング、４１・・・上側ハウジング、４２・・・下側ハウジング、５・・・モータ、５１・・・ステータ、５２・・・ロータ、５３・・・シャフト、６・・・上側軸受部、７・・・基板、８・・・コンデンサ、９・・・ＦＥＴ、１０・・・送風装置、１１・・・ファンケーシング、１１１・・・上側カバー部、１１２・・・ケーシング部、１１３・・・下側カバー部、１２・・・インペラ、１３・・・モータハウジング、１４・・・モータ、１４１・・・ステータ、１４２・・・ロータ、１４３・・・シャフト、１５Ａ・・・上側軸受部、１５Ｂ・・・下側軸受部、１６・・・基板、１７・・・コンデンサ、ＦＷ１、ＦＷ１１・・・第１流路、Ｃ・・・中心軸
【図１】
2018123738.tif 000003
【図２】
2018123738.tif 000004
【図３】
2018123738.tif 000005
【図４】
2018123738.tif 000006
【図５】
2018123738.tif 000007
【図６】
2018123738.tif 000008
【図７】
2018123738.tif 000009
【図８】
2018123738.tif 000010
【図９】
2018123738.tif 000011
【図１０】
2018123738.tif 000012
【図１１】
2018123738.tif 000013
【図１２】
2018123738.tif 000014